(57)【要約】【課題】本発明は、抽象的なスイング平面を有形に変換するゴルフスイング平面修正器を提供する。【解決手段】前記修正器は、底板と、反動が調整可能な軸座と、底板の上方に枢設されたバックスイング及びダウンスイング平面角度調整シャフトと、からなり、各角度調整シャフトの末端にはバーが接続され、最も良いバックスイング及びダウンスイングスイングの平面角度を作り出すには、バックスイング平面角度調整シャフトに二つの移動可能な対応リングを設け、その一つの対応リングを打者の三角筋に、もう一つの対応リングをバックスイングトップの両手の位置の対応ポイントに調整する。ダウンスイング平面角度調整シャフトには移動可能な一つの対応リングが設けられ、前記対応リングは打者のクラブのグリップの末端に対応させる。修正器各バー及び対応リングを利用して、効果的にスイングフォームの問題の所在に気づき、適時に修正改善を加え、学習効果を高め、技能を増進させる。【選択図】図５
2018153629.tif 000002
【特許請求の範囲】
【請求項１】
一つの底板と、一つの軸座と、二本の角度調整シャフトと、からなるゴルフスイング平面修正器であって、
前記軸座は、底板の上方に取り付けられ、二本の角度調整シャフトはそれぞれ軸座の心軸上に軸合され、前記二本の角度調整シャフトは、軸座の反動作用を受けて任意の角度で調整することができるとともに前記軸座上に位置決めして枢設することができ、また、各調整バーの末端には、延伸した一本のバーが接続され、
前記軸座の両側には、底板に取り付けられた一つの支持フレームがそれぞれ設けられ、支持フレームのそばには軸孔を備えた立板と、前記軸座の両端にそれぞれねじ山を備えた心軸とが設けられ、前記心軸の中央には一つの弾性部品がかぶせて設けられ、前記弾性部品の両側にはそれぞれ角度調整できるバーが枢設されるとともに、支持フレームの立板の軸孔内に貫設され、さらに立板の外側をナットによって締めて固定し、それにより両側の角度調整シャフトが中央に向かって弾性部品を圧迫させるとともに、弾性部品が受ける圧迫の反作用力を利用して、反動を調整できるという効果を達成する
ことを特徴とする、ゴルフスイング平面修正器。
【請求項２】
前記角度調整シャフトの軸回転端には、ラチェットを備えた一つの軸カバーが更に枢設され、且つラチェットに対応する適当な場所に一つの端が突き出たフックが設けられ、それにより、前記角度調整シャフトが一方方向の角度調整機能を備えるようにさせる
ことを特徴とする、請求項１に記載のゴルフスイング平面修正器。
【請求項３】
二本の角度調整シャフトの末端には、延伸したバーが接続され、且つその内一本のバーには二つの移動可能な対応リングが設けられ、
もう一本のバーには一つの移動可能な対応リングが設けられる
ことを特徴とする、請求項１に記載のゴルフスイング平面修正器。
【請求項４】
一つの底板と、一つの軸座と、二本の角度調整シャフトと、一本のスタンドと、からなるゴルフスイング平面修正器であって、
前記軸座は、底板に取り付けられ、二本の角度調整シャフトはそれぞれ軸座の心軸上に軸合されるとともに、二本の角度調整シャフトは軸座の反動作用を受けて、任意の角度で調整し位置決めして固定できるように前記軸座に枢設されるとともに、各調整バーの末端には延伸した一本のバーが接続され、
前記スタンドは、二本の角度調整シャフトのバーが延伸した側に設けられ、スタンド上には高さの位置が調整可能な二つの修正器が取り付けられ、各角度調整シャフトが延伸したバーにそれぞれ接続される
ことを特徴とする、ゴルフスイング平面修正器。
【請求項５】
前記軸座の両側には、底板に取り付けられた支持フレームがそれぞれ設けられ、
支持フレームのそばには軸孔を備えた立板が設けられ、両端には、ねじ山を備えた一つの心軸がそれぞれ設けられ、
前記心軸の中央には、一つの弾性部品がかぶせて設けられ、
前記弾性部品の両側にはそれぞれ角度調整シャフトが枢設されるとともに、前記角度調整シャフトは支持フレームの立板の軸孔内に貫設されるとともに、さらに立板の外側からナットによって締めて固定され、
両側の角度調整シャフトが中央に向かって弾性部品を圧迫するようにするとともに、弾性部品が受ける圧迫の反作用力を利用して、反動を調整することができる機能を達成する
ことを特徴とする、請求項４に記載のゴルフスイング平面修正器。
【請求項６】
前記修正器には、垂直面に一本のスタンドに貫設された少なくとも一つの通孔が設けられ、
通孔の片側には一つの傾斜塊が設けられ、
傾斜塊には両側に向いた外に向かって広がった長槽状の一つの穿孔が設けられ、
角度調整シャフトを延伸したバーに貫設される
ことを特徴とする、請求項４に記載のゴルフスイング平面修正器。
【請求項７】
ゴルフスイング平面修正器には、一つの平面変換スティックが更に設けられ、平面変換スティックはもう一つの修正器によって角度が調整できるように二本のバー（３１、３１ａ）の間のスタンド上に接続されるとともに、
二つの対応リング（４０、４０ａ）を前記平面変換スティックの両端にそれぞれ枢設し、
その内、前記修正器の片方の端の面には一本のスタンドに貫設された通孔が設けられ、且つ通孔の片側の側面には一つの回転塊が枢接され、回転塊には一つの接続孔が設けられ、平面変換スティックが貫設される
ことを特徴とする、請求項４に記載のゴルフスイング平面修正器。
【請求項８】
前記修正器には、少なくとも一つの垂直面に設けられたスタンドに一つの通孔が貫設され、且つ通孔の片側には一つの傾斜塊が設けられ、傾斜塊には両側に向いた外に広がった長槽状の一つの穿孔が設けられ、穿孔は角度調整シャフトを延伸したバーに貫設される
ことを特徴とする、請求項４に記載のゴルフスイング平面修正器。
【請求項９】
二本の角度調整シャフト末端には、延伸してバーが接続され、且つその内一本のバーには両方に移動可能な対応リングが設けられ、
もう一本のバーには一つの移動可能な対応リングが設けられる
ことを特徴とする、請求項４に記載のゴルフスイング平面修正器。
【発明の詳細な説明】
【技術分野】
【０００１】
本発明は、ゴルフスイング練習指導の補助設備の構造設計に関し、特に抽象的なスイング平面を有形の方式に変換して表し、正確且つ適時に調整及び修正するとともにスイング姿勢を改善できるゴルフスイング平面修正器に関する。
【背景技術】
【０００２】
ゴルフをすることは、非常に面白く、身心に有益であるとともに、老人から子供に至るまでできるスポーツであるだけでなく、非常に技巧が求められ、やりがいのあるスポーツであり、プロのコーチのコーチング及び長時間の練習によって好成績を出すのが可能になるのであって、ゴルフというスポーツに関わる人であればみな知っているように、正確なスイング動作と、コア筋肉組織の利用によってボールを正確且つ遠くに打てるだけでなく、フォームが悪くスポーツによるけがを引き起こすのを防止することができるゆえに、正確なスイング動作とコア筋肉組織を利用することは、ゴルフをプレイする時に非常に重要な一つのポイントである。
【０００３】
しかしながら、クラブを振り上げる前の立った姿勢からトップまでのバックスイング（上半身が下半身を動かす）、さらにトップからダウンスイングの動作に変わりインパクト、フォロースルー及び最後のフィニッシュ（下半身が上半身を動かす）までのフォーム全体は、頭部の位置、脊椎の角度、手首の自然な角度及び立つ姿勢、姿勢の角度の正確性、両腕、体幹及び臀部の回転から両足の重心移動等を含む、全身の動作全体が相互に連係することによって、クラブに理想的スイング及びダウンスイング平面を生じさせることができるとともに、完璧にヘッドの力を放出させることで、正確な打撃方向および距離に打つことができる。これは不断な反復練習及び修正を経て初めて、奥深い所までマスターできるのである。一般的な初学者はスイング練習を行う時、多くの場合先にコーチにそばで指導してもらい、スイングのフォーム及び姿勢を修正してもらい、スイング時にヘッドが正確にバックスイング及びダウンスイング平面の軌道上を通過するようにするが、前記スイング平面は一つの無形の抽象的概念に過ぎないため、コーチ本人の経験に基づいて判断するしかなく、そのため効率的且つ正確に学生のフォームの問題の所在に気づくのが難しい場合が多く、学生も短い間にスイング平面の概念をつかむことができず、したがって学習効率が悪く、間違ったフォームが培われてしまうことさえあり、以後のフォームの調整が更に困難となってしまう。
【発明の概要】
【発明が解決しようとする課題】
【０００４】
本発明は、この構造設計によって、抽象的なスイング平面を点、線、面の３Ｄ空間立体で有形に変換して表すことによって、効果的にスイング（ｓｗｉｎｇ）の問題に気づくとともに、適時に修正及び改善を加えて、学習効果を高め、技能をアップさせることができるゴルフスイング平面修正器を提供することを目的とする。
【課題を解決するための手段】
【０００５】
上記の目的を達成するための本発明は、一つの底板と、一つの軸座と、二本の角度調整シャフトからなる。前記軸座は反動を調整することができるように底板の上方に取り付けられ、二本のバックスイング及びダウンスイング平面角度調整シャフトはそれぞれ前記軸座に枢設され、且つ軸座の反動作用を受けて任意の角度に調整してから位置決めして固定させることができる。各角度調整シャフトの末端にはそれぞれ一本のバーが接続され延伸し、バックスイング平面角度調整シャフトには二つの移動可能な対応リングが設けられ、その内一つの対応リングは打者の三角筋の部分に対応し、もう一つの対応リングはバックスイングトップの両手の位置に対応した場所に調整される。ダウンスイング平面角度調整シャフトには一つの移動可能な対応リングが設けられ、前記対応リングは打者のクラブのグリップの末端に対応する。
【０００６】
使用時、前記修正器をインパクト方向の後側に置き、軸座の軸心をボールの位置に対応したポイントに対応させるとともに、打者の身長及び使用するクラブのバーの長さの必要に応じて、各角度調整シャフトを最も良い位置に調整し、その延伸したバーがゴルフボールのバックスイングを形成し、ダウンスイング時そのスイング平面の基準軸線を修正すると同時に、バックスイング平面角度調整シャフトの二つの対応リングを、打者の三角筋及びバックスイングトップの両手の位置に対応する位置にそれぞれ固定し、もう一つのダウンスイング平面角度調整シャフトの一つの対応リングを、打者のクラブのグリップ末端の位置に固定し、スイングフォームの正確性を観察して修正する。
【０００７】
前記のゴルフスイング平面修正器において、二本のバックスイング及びダウンスイング平面角度調整シャフトの延伸した側に、地面と垂直を呈して設置された一本のスタンドが更に設けられ、且つスタンドには複数個の高さの位置を調整することができる修正器が取り付けられ、各種角度調整シャフトをそれぞれ延伸して取り付けて使用する。
【０００８】
前記ゴルフスイング平面修正器において、前記スタンドと二本のバー間には、修正器によって角度を調整できる一つの平面変換スティックが更に接続され、対応リングは前記平面変換スティックの両端に枢接して使用する。
【発明の効果】
【０００９】
この前記修正器の設計によって、抽象的なスイング平面を点、線、面の３Ｄ空間立体で有形に変換して表し、それによって効果的にスイング（ｓｗｉｎｇ）の問題の所在に気づくとともに、適時な修正改善を加え、学習効果を高め、技能を増進させることができる。
【図面の簡単な説明】
【００１０】
【図１】本発明の立体外観を示した概略図である。
【図２】本発明の構造を分解した状態を示す概略図である。
【図３】本発明の軸座の反動を調整した状態を示す概略図である。
【図３Ａ】本発明の角度調整シャフトの作動を示す概略図である。
【図４】本発明の使用実施例を上から見た図である。
【図５】本発明の使用実施例の側視図であり、アドレス（Ａｄｄｒｅｓｓ）を示した概略図である。
【図６】本発明のテイクアウェイ動作（Ｔａｋｅａｗａｙ）を修正した状態を示す概略図である。
【図７】本発明のバックスイング動作（一）（Ｂａｃｋ  Ｓｗｉｎｇ）のヘッドの位置を観察して修正した状態を示す概略図である。
【図８】本発明のバックスイング動作（Ｂａｃｋ  Ｓｗｉｎｇ）のヘッドの移動を観察して修正した状態を示す概略図である。
【図９】本発明のバックスイング頂点（Ｔｏｐ  ｏｆ  Ｓｗｉｎｇ）の両手の位置を修正した状態を示す概略図である。
【図１０】本発明のダウンスイング動作（Ｄｏｗｎ  Ｓｗｉｎｇ）の両手の移動を観察して修正する状態を示す概略図である。
【図１１】本発明のダウンスイングヘッドをダウンスイング平面に変換して観察し修正する状態を示す概略図である。
【図１２】本発明のダウンスイング動作（Ｄｏｗｎ  Ｓｗｉｎｇ）のヘッドの移動を観察して修正する状態を示す概略図である。
【図１３】本発明のインパクト動作（Ｉｍｐａｃｔ）のヘッドの移動を観察して修正する状態を示す概略図である。
【図１４】本発明のインパクト動作（Ｉｍｐａｃｔ）の概略図である。
【図１５】本発明のフォロースルー動作（一）（Ｆｏｌｌｏｗ  Ｔｈｒｏｕｇｈ）の概略図である。
【図１６】本発明のフォロースルー動作（二）（Ｆｏｌｌｏｗ  Ｔｈｒｏｕｇｈ）の概略図である。
【図１７】本発明のフィニッシュ動作（一）（Ｆｉｎｉｓｈ）の概略図である。
【図１８】本発明のフィニッシュ動作（二）（Ｆｉｎｉｓｈ）の概略図である。
【図１９】本発明のフィニッシュ動作（三）（Ｆｉｎｉｓｈ）の概略図である。
【図２０】本発明の実施例２の立体外観概略図である。
【図２１】本発明の実施例２の使用状態を示す側視図であり、アドレス（Ａｄｄｒｅｓｓ）示す概略図である。
【図２２】本発明の実施例３の立体外観概略図である。
【図２２Ａ】本発明の実施例３の修正器の構造を分解した状態を示す概略図である。
【図２３】本発明の実施例３の使用状態を示す側視図であり、アドレス（Ａｄｄｒｅｓｓ）を示す概略図である。
【図２４】本発明の実施例３のバックスイングトップ（Ｔｏｐ  ｏｆ  Ｓｗｉｎｇ）の両手の位置を修正した状態を示す概略図である。
【図２５】本発明の実施例３のダウンスイングでショットの前の両手位置を観察して修正した状態を示す概略図である。
【発明を実施するための形態】
【００１１】
（実施例１）
図１〜３Ａを参照する。本発明のゴルフスイング平面修正器は、一つの底板１０と、一つの軸座２０と、二本の角度調整シャフト３０、３０ａからなる。
【００１２】
前記軸座２０は、反動を調整できるように底板１０の上方に取り付けられ、好ましい本実施例のうち、前記軸座２０の両側には、底板１０に取り付けられた支持フレーム２１がそれぞれ設けられ、支持フレーム２１のそばには、軸孔２２を備えた立板２３が設けられ、中央にかぶせて設けられた一つの弾性部品２４には、心軸２５が貫設されて架設され、前記心軸２５の両端には、ねじ山２６がそれぞれ設けられ、ねじ山２６にはナット２７が螺設される。これによって、二本の角度調整シャフト３０、３０ａを、心軸２５の弾性部品２４の外側及び支持フレーム２１の立板２３間にそれぞれ軸合することができ、さらに両側のナット２７によって内に向かって締めて固定し、二本の角度調整シャフト３０、３０ａを同時に中央の弾性部品２４に向かって押すように圧力をかけ（図３を参照する）、前記弾性部品２４が受ける圧迫で生じた反作用力を利用して、反動を調整する機能を備えることができる。
【００１３】
前記バックスイング及びダウンスイング平面の二つの角度調整シャフト３０、３０ａは、軸座２０上に枢設され、軸座２０の反動作用を受けて任意の角度に調整することができるとともに、底板１０に位置決めして取り付けることができ、また、前記底板１０の上方にはカバーがかぶせて設けられ（図示せず）、二本のバックスイング及びダウンスイング平面角度調整シャフト３０、３０ａの末端には、延伸可能なバー３１、３１ａがそれぞれ接続して設けられ、その内バー３１には、両側に移動可能な対応リング４０、４０ａが枢接され、もう一本のバー３１ａには、移動可能な一つの対応リング４０ｂが枢接される。実施時、各対応リング４０、４０ａ、４０ｂの筒の内部には、貫通した一つのパイプ４１が設けられ、パイプ４１の内部には、一つのソフトパイプカバー４２が取り付けられ、それによって、筒をしっかりとバー３１にかぶせて設け、パイプ４１を３１ａ上でスライドさせるとともに固定させることができ、さらに、角度調整シャフト３０、３０ａ及びバー３１、３１ａの接続端には、ボルト穴及びボルトがそれぞれ設けられ、螺合の方式で取り付け、これによって分解及び収納がしやすくなる。さらにバー３１、３１ａは一体式で固定するスティック状、または、多節式で伸縮可能なスティックによることができる。
【００１４】
さらに、本発明の角度調整シャフト３０、３０ａは、反動を調整できる軸座２０によって、適切な力をかけて回して角度を調整するだけでなく、角度調整シャフト３０、３０ａの軸回転端に一つのラチェット３２を備えた軸カバー３３が更に枢設され、且つラチェット３２の対応する箇所には、一端部が外に突き出たフック３４が設けられるとともに、前記フック３４によって常態的にラチェット３２をとめて、それによって前記角度調整シャフト３０、３０ａが一方方向の角度調整機能を備えるようにさせ、使用者がフック３４をラチェット３２から取り外すと、前記角度調整シャフト３０、３０ａを逆の方向に戻すことができる（図３Ａを参照する）。
【００１５】
図１、図４、図５を参照する。本発明を使用する時、前記スイング平面修正器を打者７０のショット方向の後方の適当な距離に設置するとともに、軸座２０の軸心をゴルフボール７３のボールの位置に対応するポイントに対応させると同時に、角度調整シャフト３０、３０ａから延伸したバー３１、３１ａを打者７０に向かう方向に平行に設置する（図４を参照する）。打者７０の身長及び使用するクラブのシャフト７１の長さに応じて、それぞれ対応リング４０、４０ａに枢設された角度調整シャフト３０を標準的なバックスイングの平面角に調整し、バックスイング平面角は打者７０の後の三角筋を基準点とし、それによって後方のバー３１を延伸して形成するとバックスイング平面の基準軸線を修正することができる。また一つの対応リング４０ｂに枢設された一本の角度調整シャフト３０ａを標準的なダウンスイング平面角に調整し、ダウンスイング平面角はクラブのシャフト７１を基準とし、それによって後方のバー３１ａがダウンスイング平面の基準軸線を修正できるように形成し、さらに、バックスイング平面バー３１に枢設された二つの対応リング４０、４０ａを、打者７０の三角筋及びバックスイングトップの両手の位置に対応するポイントにそれぞれ微調整し、ダウンスイング平面バー３１ａに枢設された対応リング４０ｂを、打者７０のクラブのグリップの末端に微調整し（図５を参照する）、これによってスイング体勢を修正しバックスイング時の両手の位置の観察点及びダウンスイング前のヘッド位置の観察点を形成する。
【００１６】
図５〜９を参照する、バックスイング時、打者７０は、後頭部、肩甲骨、臀部の後方が一直線の脊柱回転軸を呈するようにすると同時に、バックスイングの順序に対応して、両腕、体幹、臀部の回転及び重心の移動は、ヘッド７２を前記修正器のバックスイング平面バー３１に沿って正確にバックスイング平面上に移動させる（図６〜８を参照する）。バックスイングの過程でヘッド７２がバー３１から離れると、使用者はそばでヘッド７２が離れている状態を観察することができる。一般的にバックスイングが極端な人は通常、肩の回転運動が不正確、或いは両手だけで動かしている、またはテイクアウェイ時に手首をヘッドが押さえつけることによって引き起こされるもので、反対にフラットすぎる場合の多くは、テイクアウェイ時に手首を返している、或いは両手が直接ヘッド７２を身体の後方に引っ張ることによって引きこされ、正確にスイング（ｓｗｉｎｇ）の問題の所在を探し出して、直ちに修正改善を加えることが必要である。両手がバックスイングのトップに達した時、打者７０の身体が完全に正確に回転できると、肩の部位があごの下にあり、背中が目標に向かって正面になる。この時回転のため、体幹及び臀部において、収縮によって最大の筋力が発生する。最大の筋力は筋肉の反動を意味し、最大の収縮が生み出す張力は、筋肉組織の作用を促進する最大の力であると言うことができ、両手はバー３１に対応するリング４０の観察ポイントに正確に入る（図９を参照する）。
【００１７】
図１０〜１２を参照する。ダウンスイング時、バックスイングのトップに続いた張力は正確な臀部及び体幹の回転及び重心の移動と連係し、両腕を回転させると同時に両手がヘッド７２を修正器バー３１ａが形成するダウンスイング平面上に変換させるようにするとともに（図１０、１１、１２を参照する）、スイングの力を加速させ、これによって、しっかりとショットすることができるという効果が得られる。もし、打者７０の両手がダウンスイング時に下へと移動した（急すぎるダウンスイング平面を形成した）或いは腰の回転が強すぎると（浅すぎるダウンスイング平面を形成した）、打球方向の正確性に影響するだけでなく、さらには無理してショットの経路を修正しようとするあまり力を完全に発揮することができず打球の距離に影響を与えてしまう。それゆえ、本発明を使用する時、ヘッド７２によってバー３１ａから離れている状況を見て（図１１、１２を参照する）問題の所在を探し出すとともに、適時に修正及び改善を加え、正確なダウンスイング経路によってヘッド７２の力を放出させインパクトし（ｉｍｐａｃｔ）インパクトゾーンを通過し（図１２〜１４を参照する）、最後には完璧なフォロースルー動作（第１５、１６を参照する）及びフィニッシュ動作（図１７〜１９を参照する）と合わさって、スイングの練習全体を達成することができる。
【００１８】
（実施例２）
図２０、２１を参照する。本発明の好ましい実施例２であって、本発明に設けられたゴルフスイング平面修正器は、一つの底板１０と、一つの軸座２０と、二本の角度調整シャフト３０、３０ａと、一本のスタンド５０と、からなる。
【００１９】
前記軸座２０は、反動を調整できるように底板１０の上方に取り付けられ、好ましい本実施例において、前記軸座２０の両側には、底板１０に取り付けられた一つの支持フレーム２１がそれぞれ設けられ、前記支持フレーム２１のそばには、軸孔２２を備えた立板２３が設けられ、前記軸座の両端には、ねじ山２６を備えた一つの心軸２５がそれぞれ設けられ、前記心軸の中央には、一つの弾性部品２４がかぶせて設けられ、前記弾性部品の両側には、角度を調整できるバー３０、３０ａがそれぞれ枢設されるとともに、前記心軸２５は支持フレーム２１の立板２３の軸孔２２内に貫設されるとともに、さらに立板の外側にナット２７によって締めて固定され、両側の角度調整シャフト３０、３０ａを中央の弾性部品２４に向かって圧迫させるとともに、弾性部品２４が圧迫される反作用力を利用して（図２、図３を参照する）、反動を調整する機能を達成することができる。
【００２０】
前述した二本の角度調整シャフトのバー３１、３１ａの延伸した側には、一本のスタンド５０が更に設けられ、また前記スタンド５０は、地面と垂直を呈した状態で打者７０の向かい側に立てて設けられるとともに、スタンド５０に複数個の高さの位置が調整可能な修正器５１が取り付けられ、バー３１、３１ａと繋げてそれぞれ使用する。実施時、前記修正器５１は概ね一つの塊状を呈し、且つ少なくとも一つの垂直面上には一つの通孔５２が設けられ、前記修正器５１はスライドさせて高度を調整できるとともに、位置決めして締めることができるようにスタンド５０上に貫設され、また通孔５２の片側には一つの傾斜塊５３が設けられ、傾斜塊５３には両側が外に向かって広がった長槽５４に一つの穿孔５５が設けられ、バー３１、３１ａに貫設されるとともに、前記修正器５１によって設定された高さで、各バー３１、３１ａの傾斜角度を調整することができる。
【００２１】
本実施例を使用する時、バー３１、３１ａは修正器５１の穿孔５５内に貫設してそれぞれ接続されるとともに、その内一つの修正器５１を打者７０の三角筋の対応ポイントに調整して、それにより、バー３１を地表及び修正器５１の両点と連結させて標準的な一本のバックスイング平面角を形成し、バックスイング平面を修正する基準軸線を形成し、さらに前記バー３１に枢設された一つの対応リング４０をバックスイングトップの両手の位置に対応するポイントに微調整し、もう一本のバー３１ａはクラブ７１を基準とし、また地表及び修正器５１の両点を連結して一つの標準のダウンスイング平面角を形成し、ダウンスイング平面を修正する基準軸線を形成する。
【００２２】
（実施例３）
図２２〜２５を参照する。図２２〜２５は本発明の好ましい実施例３であり、本実施例はバー３１、３１ａの延伸した側に一本のスタンド５０を設けるだけでなく、更に一歩進んで、一本の平面変換スティック６０が設けられ、また前記平面変換スティック６０は、もう一つの修正器５１ａによって調整可能な角度で二本のバー３１、３１ａ間のスタンド５０上に接続されるとともに、前記平面変換スティック６０の両端には、対応リング４０、４０ａがそれぞれ枢設される。さらに本実施例を実施する時、前記修正器５１ａも同様に一端面には、一本のスタンド５０に貫設された通孔５２ａが設けられ、且つ通孔５２ａの片側の側面には、一つのねじ５６によって角度調整が可能な一つの回転塊５７が枢接されるとともに、回転塊５７には一つの平面変換スティック６０に貫設して固定された接続孔５８が設けられる（図２２Ａを参照する）。
【００２３】
本実施例を使用する時、同様に修正器５１を利用して、一本のバー３１は打者７０の三角筋を基準とし、バックスイング平面を修正する基準軸線を形成するように調整し、もう一本のバー３１ａはクラブのシャフト７１を基準とし、ダウンスイング平面を修正する基準軸線を形成するように調整し、また平面変換スティック６０をもう一つの修正器５１ａによって最も適当な高さ及び角度に調整した後、さらに平面変換スティック６０両端の対応リング４０、４０ａをバックスイングトップ及びダウンスイングのインパクト（ｉｍｐａｃｔ）前の両手の位置に対応するポイントに微調整し、これによって、両手の位置を修正する観察点を形成する。バックスイング時、バー３１によってヘッド７２が正確なバックスイング平面の経路に沿って移動するように修正し、打撃がバックスイングトップに達した時、平面変換スティック６０の対応リング４０によって、打者７０の両手が正確に前記対応リング４０の観察ポイントに収まっているかどうかを観察し（図２４を参照する）、ダウンスイング時、同様にバー３１ａによってヘッド７２が正確なダウンスイング平面の移動経路に沿って修正し、またダウンスイングの過程でインパクトの直前、平面変換スティック６０の対応リング４０ａによって打者７０がダウンスイングをしてボールに触れる前の両手の位置を観察し（図２５を参照する）、正確な両手の位置でヘッド７２の力を放出させインパクトし（ｉｍｐａｃｔ）インパクトゾーンを通過して、最後にフォロースルー及びフィニッシュの動作が合わさり、全体が正確なスイングフォームの練習を達成することができる。
【００２４】
以上から分かるように、本発明のゴルフスイング平面修正器は、以下のような実用的なメリットを備える。
【００２５】
１、前記修正器は、身長、バーの長さに応じて調整を加えることができ、抽象的なスイング平面を有形に変換することによって、打撃フォームの問題の所在に効果的に気づくことができるとともに、適時に修正改善を加え、学習効果を高め、技能を増進させることができる。
【００２６】
２、前記有形のスイング平面によって、正確にコア筋肉組織の使用と筋肉組織を動かす順序を指導することができ、筋肉組織間の協調性を増し加えると同時に、適時に正確な筋肉機能を作用させ、柔軟性を増し、それによって筋力を強化することができる。
【００２７】
３、良好なスイングリズムを作り出すことができ、スイングのバランスを安定させ、スイング機能の瞬発力を増加させることができる。
【００２８】
４、スイングフォームに一層の一致性及び協調性を持たせ、スイング軌道を更に安定させ、加速を更にスムーズにし、更に速いヘッドスピードを実現し、打球距離及び方向の正確性を効果的に高めることができる。
【符号の説明】
【００２９】
１０      底板
２０      軸座
２１      支持フレーム
２２      軸孔
２３      立板
２４      弾性部品
２５      心軸
２６      ねじ山
２７      ナット
３０      角度調整シャフト
３０ａ    角度調整シャフト
３１      バー
３１ａ    バー
３２      ラチェット
３３      軸カバー
３４      フック
４０      対応リング
４０ａ    対応リング
４０ｂ    対応リング
４１      パイプ
４２      パイプカバー
５０      スタンド
５１      修正器
５１ａ    修正器
５２      通孔
５２ａ    通孔
５３      傾斜塊
５４      長槽
５５      穿孔
５６      ねじ
５７      回転塊
５８      接続孔
６０      平面変換スティック
７０      打者
７１      クラブ
７２      ヘッド
７３      ゴルフボール
【図１】
2018153629.tif 000003
【図２】
2018153629.tif 000004
【図３】
2018153629.tif 000005
【図３Ａ】
2018153629.tif 000006
【図４】
2018153629.tif 000007
【図５】
2018153629.tif 000008
【図６】
2018153629.tif 000009
【図７】
2018153629.tif 000010
【図８】
2018153629.tif 000011
【図９】
2018153629.tif 000012
【図１０】
2018153629.tif 000013
【図１１】
2018153629.tif 000014
【図１２】
2018153629.tif 000015
【図１３】
2018153629.tif 000016
【図１４】
2018153629.tif 000017
【図１５】
2018153629.tif 000018
【図１６】
2018153629.tif 000019
【図１７】
2018153629.tif 000020
【図１８】
2018153629.tif 000021
【図１９】
2018153629.tif 000022
【図２０】
2018153629.tif 000023
【図２１】
2018153629.tif 000024
【図２２】
2018153629.tif 000025
【図２２Ａ】
2018153629.tif 000026
【図２３】
2018153629.tif 000027
【図２４】
2018153629.tif 000028
【図２５】
2018153629.tif 000029